(57)【要約】【課題】ヘッドとラインとの間に揺動可能にブレードを取り付ける取り付け部を有する接続具が、前記ヘッドに固定された釣り用ルアーにおいて、ブレードが揺動してもヘッドから外れない結合が確保されるルアーを提供するものである。【解決手段】ヘッドとラインとの間に揺動可能にブレードを取り付ける取り付け部を有する接続具が、前記ヘッドに固定された釣り用ルアーにおいて、前記取り付け部は、前記ヘッドの前方に突出し先端部が前記ヘッドの前部へ向けて近接するように屈曲するかぎ状をなし、前記ヘッドの前部には、前記取り付け部の先端部が侵入可能な侵入部を設けたこと。【選択図】図３
2018023337.tif 000002
【特許請求の範囲】
【請求項１】
ヘッドとラインとの間に揺動可能にブレードを取り付ける取り付け部を有する接続具が、前記ヘッドに固定される釣り用ルアーにおいて、
前記取り付け部は、前記ヘッドの前方に突出し先端部が前記ヘッドの前部へ向けて所定の隙間を存して近接するように屈曲するかぎ状をなし、
前記ヘッドの前部には、前記取り付け部の先端部が侵入可能な侵入部を設けた、
ことを特徴とする釣り用ルアー。
【請求項２】
前記侵入部は、前記ヘッドの前部に開口した溝または孔である、
ことを特徴とする請求項１に記載の釣り用ルアー。
【請求項３】
前記取り付け部へ取り付けられたブレードの姿勢は、前記侵入部の間口に対して前記ブレードの後端部が交差状態となる取り付け状態である、
ことを特徴とする請求項１または２に記載の釣り用ルアー。
【請求項４】
ヘッドとラインとの間に揺動可能にブレードを取り付ける取り付け部を有する接続具が、前記ヘッドに固定される釣り用ルアーにおいて、
前記取り付け部は前記ヘッドの前方に突出しかぎ状に屈曲した先端部を有し、
前記ヘッドの成型と同時に、前記先端部が前記ヘッドの前部との間に所定の隙間を存する関係に接続具の基部を前記ヘッドに埋設状態に固定すると共に、前記ヘッドの前部に前記取り付け部の先端部が侵入可能な侵入部を形成し、
前記隙間を通して前記ブレード、または前記ブレードを遊嵌状態に取り付けるスナップを前記取り付け部に揺動可能に取り付けた後、
前記先端部が前記侵入部に侵入状態となるように前記取り付け部を屈曲させ、
前記ブレードまたは前記ブレードを遊嵌状態に取り付けるスナップが前記取り付け部に対して前記侵入部の間口に対して交差状態の範囲で揺動可能となる、
ことを特徴とする釣り用ルアーのブレードの取り付け方法。
【発明の詳細な説明】
【技術分野】
【０００１】
本発明は、魚釣りに使用するルアーに関し、特に水流によってブレードが揺動するタイプのルアーに関する。
【背景技術】
【０００２】
魚釣りに使用するルアーのうち、水流によってブレードが揺動するタイプのルアーがある。
このルアーを釣り糸に取り付けて釣りを行うとき、釣り糸の牽引により生じる水流抵抗によってブレードが揺動し、この揺動に伴って生じる光の反射によって魚を誘い釣り上げるものがある（特許文献１の図４参照）。
【０００３】
この特許文献１の図４に示されたルアー２１は、重りであるヘッド（またはボディという）２２の後部には、釣り針であるフック２５を取り付け、このフック２５を取り囲むように多数のラバースカート２３が取り付けられている。また、ヘッド２２の前部には、スプリットリング９が取り付けられ、このスプリットリング９に取り付けた金属線環状体８によって、ブレード７が揺動するように取り付けられている。ラインは金属線環状体８の前端部に結合される。
【先行技術文献】
【特許文献】
【０００４】
【特許文献１】特開２０１２−０８０８２６号公報
【発明の概要】
【発明が解決しようとする課題】
【０００５】
特許文献１のルアーのように、ヘッド２２の前部に突出するスプリットリング９に金属線環状体８がリング結合されるため、通常鉛で構成されるヘッド２２へのスプリットリング９の取り付けは、ヘッド２２の成型時に行うために、ヘッド２２の成型用金型にスプリットリング９をセットし、この状態でヘッド２２を成型することにより、スプリットリング９がヘッド２２に固定される。
この成型の後にヘッド２２に金属線環状体８を結合するためには、ヘッド２２に近いスプリットリング９の一部が開いていて、その開口部から金属線環状体８を通し、スプリットリング９に金属線環状体８を結合する。
【０００６】
この場合、釣りを行っているとき、ブレード７が揺動することによりスプリットリング９の開口部から金属線環状体８が外れることがある。
【０００７】
また、特許文献１のルアーは、ヘッド２２の前部に突出するスプリットリング９に金属線環状体８がリング結合されるため、通常鉛で構成されるヘッド２２の成型時には、スプリットリング９に金属線環状体８がリング結合された状態でヘッド２２の成型用金型にセットし、この状態でヘッド２２を成型することにより、金属線環状体８がリング結合された状態のスプリットリング９がヘッド２２に固定される方法もあろう。
【０００８】
この方法では、前記の場合のスプリットリング９の開口部が存在しないため、金属線環状体８がスプリットリング９から外れることはないが、スプリットリング９に金属線環状体８がリング結合された状態でヘッド２２の成型を行うため、ヘッド２２の成型作業がし難い問題がある。
【０００９】
本発明は、上記に鑑み、ヘッド成型後にヘッドの前部にブレードを揺動自在に取り付ける方式とすることにより、ヘッドの成型がし易く、且つ、ブレードが揺動してもヘッドから外れない結合が確保されるルアーを提供するものである。
【課題を解決するための手段】
【００１０】
本発明は、ヘッドとラインとの間に揺動可能にブレードを取り付ける取り付け部を有する接続具が、前記ヘッドに固定される釣り用ルアーにおいて、
前記取り付け部は、前記ヘッドの前方に突出し先端部が前記ヘッドの前部へ向けて所定の隙間を存して近接するように屈曲するかぎ状をなし、
前記ヘッドの前部には、前記取り付け部の先端部が侵入可能な侵入部を設けた、
ことを特徴とする。
【００１１】
また、前記侵入部は、前記ヘッドの前部に開口した溝または孔である、ことを特徴とする。
【００１２】
更に、前記取り付け部へ取り付けられたブレードの姿勢は、前記侵入部に対して前記ブレードの後端部が交差状態となる取り付け状態である、
ことを特徴とする。
【００１３】
また本発明は、ヘッドとラインとの間に揺動可能にブレードを取り付ける取り付け部を有する接続具が、前記ヘッドに固定される釣り用ルアーにおいて、
前記取り付け部は前記ヘッドの前方に突出しかぎ状に屈曲した先端部を有し、
前記ヘッドの成型と同時に、前記先端部が前記ヘッドの前部との間に所定の隙間を存する関係に接続具の基部を前記ヘッドに埋設状態に固定すると共に、前記ヘッドの前部に前記取り付け部の先端部が侵入可能な侵入部を形成し、
前記隙間を通して前記ブレード、または前記ブレードを遊嵌状態に取り付けるスナップを前記取り付け部に揺動可能に取り付けた後、
前記先端部が前記侵入部に侵入状態となるように前記取り付け部を屈曲させ、
前記ブレード、または前記ブレードを遊嵌状態に取り付けるスナップが前記取り付け部に対して前記侵入部の間口に対して交差状態の範囲で揺動可能となる、
ことを特徴とする釣り用ルアーのブレードの取り付け方法。
【発明の効果】
【００１４】
本発明では、ヘッドから前方へ突出する接続具の取り付け部は、ヘッドの前方に突出し先端部がヘッドの前部へ向けて所定の隙間を存して近接するように屈曲するかぎ状をなし、ヘッドの前部には、取り付け部の先端部が侵入可能な侵入部を設ける。
このため、ヘッドの成型時には、接続具を成型金型にセットする通常の作業によって、ヘッドと接続具を一体化でき、ヘッドへの接続具の固定が堅固となる。
そして、取り付け部の先端部を通して揺動状態にブレードを取り付けた後、取り付け部の先端部を侵入部に差し込むように強く屈曲させることにより、ブレードが揺動しても外れることはなくなる。
【００１５】
また、ブレードの孔に取り付け部が挿通される取り付けの場合は、侵入部の間口とブレードとが交差状態を維持することにより、ブレードが揺動しても外れることのないルアーとなる。
【図面の簡単な説明】
【００１６】
【図１】本発明に係る釣り用ルアーの全体図である。
【図２】本発明に係る釣り用ルアーを側面から見た全体図である。
【図３】本発明に係る釣り用ルアーのヘッドに対する接続具とフックの配置状態を示す断面図である。
【図４】本発明に係る釣り用ルアーのヘッドの前面図である。
【図５】本発明に係る釣り用ルアーのブレードの平面図である。
【図６】本発明に係る釣り用ルアーのブレードを断面で示す側面図である。
【発明を実施するための形態】
【００１７】
本発明は、ヘッドとラインとの間に揺動可能にブレードを取り付ける取り付け部を有する接続具が前記ヘッドに固定される釣り用ルアーにおいて、前記取り付け部は、前記ヘッドの前方に突出し先端部が前記ヘッドの前部へ向けて所定の隙間を存して近接するように屈曲するかぎ状をなし、前記ヘッドの前部には、前記取り付け部の先端部が侵入可能な侵入部を有し、前記取り付け部は、前記先端部が前記侵入部外である第１の状態と、前記侵入部内に侵入した第２の状態とを維持する屈曲可能な金属製材で形成されたものである。
【００１８】
本発明の釣り用ルアーの実施形態を図に基づき以下に記載する。
本発明の釣り用ルアー１は、ヘッド２と釣り糸であるライン３との間に揺動可能にブレード４を取り付ける取り付け部５Ａを有する接続具５がヘッド２に固定された形態である。
【００１９】
実施例の釣り用ルアー１は、図１及び図２に示すように、鉛製であるヘッド２には、その前部に取り付け部５Ａが突出する接続具５と、ヘッド２の後部へ突出する釣り針であるフック６が一体に取り付けられている。接続具５とフック６のヘッド２への取り付けは、接続具５とフック６をヘッド２の成型用金型にセットした状態で、溶融した鉛をその金型に流し込むことによって、ヘッド２の本体部２Ａと本体部２Ａから後方へ延出するフック取り付け部７が所定形状に一体成型される。この成型と共に、本体部２Ａ内に接続具５の基部５Ｂが埋設状態で固定されると共にフック取り付け部７内にフック６の基部６Ｂが埋設状態で固定される。
【００２０】
フック取り付け部７にはフック６を覆うようにスカート１１が取り付けられる。スカート１１は、水中で自在に変形する柔軟性のある耐水性の合成樹脂の多数の細い紐状をなし、例えばシリコンゴム材で形成され、ラバースカートという。
【００２１】
接続具５は、バネ用ステンレス製の線材または板材で形成され、実施例のものは所定の形状確保と強度が得られるように、バネ用ステンレス製の断面円形のワイヤーで構成し、ヘッド２への基部５Ｂの固定と取り付け部５Ａの形状維持のために、図３に示す形状に成型している。取り付け部５Ａは、ヘッド２の本体部２Ａの前部上部から前方へ突出し、取り付け部５Ａの先端部５Ｐがヘッド２の前面部へ向けて所定の隙間Ｇを存して近接するように下方へ弧状に屈曲する。この屈曲によって、先端部５Ｐとヘッド２の前面部との間に側面視で隙間Ｇが存在する。
【００２２】
ヘッド２の前部には、取り付け部５Ａの先端部５Ｐが臨む位置に、先端部５Ｐが侵入可能な侵入部８を有する。侵入部８は、ヘッド２の前部に開口した溝または孔である。溝の場合は、図３及び図４に示すように、取り付け部５Ａの先端部５Ｐが臨む位置において、ヘッド２の本体部２Ａの前面下部から上部に掛けて、ヘッド２の前部を所定深さで上下方向に直線状に延び、一端側（上端側）が閉じた長溝形態である。溝の場合は、図３及び図４に示すように一端側が閉じた形態ではなく、ヘッド２の前部を所定深さで上下方向に貫通する形態でもよい。また、孔の場合は、ヘッド２の前方に開口し所定深さの有底孔である。図４に示すように、ヘッド２の前面から視た場合、取り付け部５Ａはヘッド２の前面に上下方向に位置し、先端部５Ｐが侵入部８に臨む状態である。
【００２３】
釣り用ルアー１は、ヘッド２とライン３との間に揺動可能にブレード４を取り付ける。図１及び図２はその一つの形態である。ブレード４は、実施例では平板形態の１枚の板で構成される。ブレード４は水の抵抗を受けて揺動するようにするために、主体部４Ａに対して先端部４Ｂが若干傾斜するように屈曲している。
【００２４】
ブレード４は、主体部４Ａの後端部に接続具５の取り付け部５Ａが遊嵌状態に挿通する貫通孔９Ａを有し、主体部４Ａの中間部にはライン３を繋ぐためのスナップ１０が遊嵌状態に挿通する貫通孔９Ｂを有する。スナップ１０は、バネ用ステンレス製のワイヤーで細長く環状に形成され、一部がバネ力にて閉じそのバネ力に抗した作用力によって開く開閉部１０Ａと、ライン３を繋ぐ部分１０Ｂとを有する。
【００２５】
図１及び図２に示す形態において、接続具５の取り付け部５Ａへのブレード４の取り付けは、ブレード４の後端部４Ｃを隙間Ｇに差し込みつつ取り付け部５Ａの先端部５Ｐが貫通孔９Ａに挿通される関係にて、ブレード４が取り付け部５Ａへ取り付けられる。
貫通孔９Ａの直径は取り付け部５Ａの直径よりも大きく、貫通孔９Ｂの直径はスナップ１０の直径よりも大いため、ブレード４が取り付け部５Ａへ取り付けられた状態で、ブレード４は取り付け部５Ａ及びスナップ１０に対して自由に揺動可能である。
【００２６】
この取り付によって、ブレード４と取り付け部５Ａが連結されるが、隙間Ｇの存在によってブレード４は揺動したとき取り付け部５Ａから外れる虞がある。このため、ブレード４と取り付け部５Ａが連結された状態で、ペンチやニッパー等の工具によって、取り付け部５Ａの先端部５Ｐが侵入部８に侵入するように取り付け部５Ａを強制的に屈曲させる。
この取り付け部５Ａの屈曲は、上記のように、取り付け部５Ａは、ヘッド２の本体部２Ａの前面上部から前方へ突出し、取り付け部５Ａの先端部５Ｐがヘッド２の前面部へ向けて近接するように下方へ弧状に屈曲しているため、取り付け部５Ａの先端部５Ｐを侵入部８の溝に沿って下方から上方に向かって屈曲しつつ、先端部５Ｐを侵入部８の溝の中に収めるようにすることにより達成される。
【００２７】
接続具５はバネ用ステンレス製を採用することによって、この屈曲によって若干の復元力が作用するが、先端部５Ｐは、屈曲前には隙間Ｇを形成するように侵入部８の外側である第１の状態を維持し、強制的な屈曲によって侵入部８の内側に侵入して隙間Ｇが閉じた第２の状態を安定的に維持することができる。
この第２の状態によって、図２に示すように、ヘッド２の側面視で、取り付け部５Ａがヘッド２に対して隙間のないリング状態を形成し、ブレード４が取り付け部５Ａに揺動可能であると共に、揺動しても取り付け部５Ａから外れない状態が維持できる。
【００２８】
上記第２の状態において、ブレード４が自由に揺動した場合でも、ブレード４が取り付け部５Ａから外れない状態を維持するためには、取り付け部５Ａへ取り付けられたブレード４の姿勢が、侵入部８の間口に対してブレード４の後端部４Ｃが交差状態となる取り付け状態であれば、好ましい状態となる。
図４に示すように、ヘッド２の前面から視た形態が、侵入部８がヘッド２の前部に形成された縦方向の溝である場合、取り付け部５Ａはヘッド２の前面に上下方向（縦方向）に位置するため、ブレード４が取り付け部５に取り付けられた状態で、ブレード４の後端部４Ｃが交差状態となる。
これによって、侵入部８への取り付け部５Ａの先端部５Ｐの侵入度合が浅くても、また、ブレード４の板厚よりも侵入部８の溝幅Ｋが広くても、ブレード４が揺動した場合、ブレード４が取り付け部５Ａから外れない状態を維持することができる。
【００２９】
この場合、ブレードの４姿勢は、図４に示すように、取り付け部５Ａへ取り付けられた状態で、ブレード４が水平方向に対して上下方向に揺動する範囲θは、水平方向に対してそれぞれ上下に各９０°未満でよいが、好ましい実施例では、ブレード４が上下方向に揺動する範囲は、略上方へ４５°及び下方へ４５°の範囲で揺動することにより、水流による揺動によって魚のおびき寄せ効果も良好である。
【００３０】
また、ブレード４の後端部４Ｃを隙間Ｇへ差し込んだとき、先端部５Ｐを侵入部８に侵入するように屈曲させる作業をし易くするために、隙間Ｇは、ブレード４の厚さｔ、特に貫通孔９Ａから後端部４Ｃの間の厚さｔよりも大きく、厚さｔの３倍以下であれば、好ましい結果が得られる。
【００３１】
また、ブレード４が取り付け部５Ａへ取り付けられた状態で、ブレード４が取り付け部５Ａ及びスナップ１０に対して自由に揺動可能となるために、ブレード４の貫通孔９Ａから後端部４Ｃまでの距離Ｌは、取り付け部５Ａの先端部５Ｐが侵入部８に侵入した状態で、弧状の取り付け部５Ａの内側に形成される空間の大きさ（直径）よりも十分小さい。
【００３２】
一つの好ましい実施形態として、取り付け部５Ａのワイヤー直径が１ｍｍ（０．８ｍｍ〜１．２ｍｍ）、スナップ１０のワイヤー直径が０．５  ｍｍ（０．３ｍｍ〜０．８ｍｍ）、ブレード４の厚さｔが０．３ｍｍ（０．２ｍｍ〜０．５ｍｍ）、貫通孔９Ａから後端部４Ｃまでの距離Ｌが１ｍｍ（０．８ｍｍ〜１．２ｍｍ）、貫通孔９Ａが２ｍｍ（１．５ｍｍ〜２．５ｍｍ）、貫通孔９Ｂが２．５ｍｍ（２ｍｍ〜３ｍｍ）、隙間Ｇが１ｍｍ（０．５ｍｍ〜１．５ｍｍ）、侵入部８の溝の幅Ｋが１．５ｍｍ（１ｍｍ〜２ｍｍ）、侵入部８の溝の深さＭが最大部で１．２ｍｍ（１ｍｍ〜２ｍｍ）、弧状の取り付け部５Ａの内側に形成される空間の大きさ（直径）は２.５ｍｍ（２ｍｍ〜３ｍｍ）である。括弧内の数字は好ましい有効範囲である。
【００３３】
また、ヘッド２と釣り糸であるライン３との間に揺動可能にブレード４を取り付ける方式において、ブレード４の貫通孔９Ａに取り付け部５Ａを挿通するのではなく、スナップ１０のライン３を繋ぐ部分１０Ｂの反対側である屈曲部１０Ｃが隙間Ｇを通して取り付け部５Ａに取り付けられる形態でもよい。
この取り付けによって、ブレード４は取り付け部５Ａに対して揺動可能となる。
【００３４】
上記のように、取り付け部５Ａの先端部５Ｐが侵入部８に侵入するように強制的に屈曲させて、先端部５Ｐが侵入部８の内側に侵入して隙間Ｇが閉じた第２の状態とした場合、取り付け部５Ａへ取り付けられたスナップ１０の姿勢は、侵入部８に対して屈曲部１０Ｃが交差状態となる取り付け状態とすることにより、安定的にスナップ１０が取り付け部５Ａから外れない状態を維持できる。
【００３５】
ブレード４またはブレード４を遊嵌状態に取り付けるスナップ１０の取り付け方法は、ヘッド２の成型と同時に、取り付け部５Ａの先端部５Ｐがヘッド４の前部との間に所定の隙間Ｇを存する関係となるように、接続具５の基部５Ｂがヘッド２に埋設状態となるように接続具５を金型に固定し、ヘッド２の成型に伴って接続具５の基部５Ｂをヘッド２に埋設状態に固定すると共に、ヘッド２の前部に取り付け部５Ａの先端部５Ｐが侵入可能な侵入部８を形成し、その後、ブレード４またはブレード４を遊嵌状態に取り付けるスナップ１０を、隙間Ｇを通して取り付け部５Ａに揺動可能に取り付け、その後、先端部５Ｐが侵入部８に侵入状態となるように取り付け部５Ａを屈曲させ、この屈曲状態でブレード４またはブレード４を遊嵌状態に取り付けるスナップ１０が、取り付け部５Ａに対して侵入部８の間口に対して交差状態の範囲で揺動可能となる取り付け状態とする。
【００３６】
本発明は、上記のように、ヘッドとラインとの間に揺動可能にブレードを取り付ける取り付け部を有する接続具がヘッドに固定された釣り用ルアーにおいて、接続具の取り付け部にブレードを直接取り付ける形態と、ラインを取り付けるスナップに遊嵌状態にブレードが取り付けられ、このスナップを接続具の取り付け部に取り付ける形態でもよく、更には他の形態においても、本発明の趣旨を逸脱しない範囲を包含するものである。
【符号の説明】
【００３７】
１・・・・釣り用ルアー
２・・・・ヘッド
３・・・・ライン
４・・・・ブレード
５・・・・接続具
６・・・・フック
７・・・・フック取り付け部
８・・・・侵入部
９Ａ・・・貫通孔
９Ｂ  ・・貫通孔
１０・・・スナップ
１１・・・スカート
【図１】
2018023337.tif 000003
【図２】
2018023337.tif 000004
【図３】
2018023337.tif 000005
【図４】
2018023337.tif 000006
【図５】
2018023337.tif 000007
【図６】
2018023337.tif 000008